(57)【要約】【課題】ＩＰ網に接続され、既存の回線交換網との間の呼接続を制御するメディアゲートウェイ制御装置に「中継回線に関する情報を引き継ぐ機能」を持たせることなく、かつ、通話やデータ伝送を中断することなくメディアゲートウェイ制御装置を切り替える。【解決手段】保守管理者は、変更元ＭＧＣ１３Ａ、変更先ＭＧＣ１３Ｂ、ＳＧＷ１４、ＭＧＷ１５、回線振分装置１６のそれぞれに接続されるオペレーション装置（ＯＰ）１３０Ａ、１３０Ｂ、１６０を操作することにより切替に必要な情報を設定入力し、回線振分装置１６は、変更元ＭＧＣ１３Ａ、変更先ＭＧＣ１３Ｂと、ＳＧＷ１４およびＭＧＷ１５との間で伝送される制御信号を中継するとともに、その制御信号を監視して変更元ＭＧＣ１３ＡとＰＳＴＮ交換網Ｎ２における各中継回線の回線保守状態を記憶し、変更先ＭＧＣ１３Ｂに引き継ぐ。【選択図】図１
2010087794.tif 000002
【特許請求の範囲】
【請求項１】
ＩＰ網に接続され、既存の回線交換網との間の呼接続を制御する第１のメディアゲートウェイ制御装置および第２のメディアゲートウェイ制御装置と、前記回線交換網に接続され、前記第１のメディアゲートウェイ制御装置もしくは前記第２のメディアゲートウェイ制御装置により制御されるゲートウェイ装置と、前記第１のメディアゲートウェイ制御装置および前記第２のメディアゲートウェイ制御装置と前記ゲートウェイ装置との間に接続される回線振分装置であって、
前記第１のメディアゲートウェイ制御装置および前記第２のメディアゲートウェイ制御装置と前記ゲートウェイ装置との間で伝送される制御信号を中継するとともに、前記制御信号を監視して、前記第１のメディアゲートウェイ制御装置と前記回線交換網との間で呼接続中の各中継回線の回線状況を維持したまま、呼接続が終了した前記中継回線の呼接続を制御する制御装置を、前記第１のメディアゲートウェイ制御装置から前記第２のメディアゲートウェイ制御装置に切り替える制御手段を備えることを特徴とする回線振分装置。
【請求項２】
前記ゲートウェイ装置は、
前記回線交換網における音声信号と前記ＩＰ網におけるＩＰパケットとの伝送方式の変換をするメディアゲートウェイと、
前記回線交換網と接続される共通信号線インタフェースを終端するシグナリングゲートウェイと、
を備えることを特徴とする請求項１に記載された回線振分装置。
【請求項３】
前記制御手段は、
前記第１のメディアゲートウェイ制御装置および前記第２のメディアゲートウェイ制御装置と前記シグナリングゲートウェイとの間で伝送されるＳＧＷ制御信号を中継するとともに、前記第１のメディアゲートウェイ制御装置および前記第２のメディアゲートウェイ制御装置と前記回線交換網との間の各中継回線の回線状況および呼接続状況を監視して、監視情報に基づき前記ＳＧＷ制御信号が伝送される前記中継回線の呼接続を制御する前記第１のメディアゲートウェイ制御装置もしくは前記第２のメディアゲートウェイ制御装置に前記ＳＧＷ制御信号を振り分けることと、
前記第１のメディアゲートウェイ制御装置および前記第２のメディアゲートウェイ制御装置と前記メディアゲートウェイとの間で伝送されるＭＧＷ制御信号を中継するとともに、前記ＭＧＷ制御信号に含まれる情報に基づき前記ＭＧＷ制御信号が伝送される前記中継回線の呼接続を制御する前記第１のメディアゲートウェイ制御装置もしくは前記第２のメディアゲートウェイ制御装置に前記ＭＧＷ制御信号を振り分けることと、
を特徴とする請求項２に記載された回線振分装置。
【請求項４】
前記制御手段は、
前記第１のメディアゲートウェイ制御装置もしくは前記第２のメディアゲートウェイ制御装置が前記メディアゲートウェイに送信したＭＧＷ制御信号のトランザクション番号と、送信元のメディアゲートウェイ制御装置のＩＰアドレスとの対応関係を対応テーブルに記憶すると共に、
前記メディアゲートウェイにより送信された応答信号からトランザクション番号を取得し、前記対応テーブルを参照して、前記トランザクション番号に対応する前記送信元のメディアゲートウェイ制御装置に前記応答信号を送信する信号応答送信部と、
前記第１のメディアゲートウェイ制御装置もしくは前記第２のメディアゲートウェイ制御装置と、前記シグナリングゲートウェイとの間で通信経路を確立し、前記第１のメディアゲートウェイ制御装置もしくは前記第２のメディアゲートウェイ制御装置と、前記シグナリングゲートウェイとの間のＳＧＷ制御信号の送受信を、受信した前記ＳＧＷ制御信号に含まれる送信先情報を取得して、送付先に送信して行うルーティング機能部と、
前記ＳＧＷ制御信号を解析して前記中継回線を監視し、前記中継回線毎の回線状況情報および呼接続状況情報を管理テーブルに記憶する回線状態監視部と、
前記第１のメディアゲートウェイ制御装置および前記第２のメディアゲートウェイ制御装置の変更実施に依存せず、接続中の呼の呼制御信号については前記管理テーブルを参照し、前記管理テーブルに記憶された呼接続状況情報に従い前記呼制御信号を呼接続中の第１のメディアゲートウェイ制御装置もしくは前記第２のメディアゲートウェイ制御装置に送信する呼制御信号振分処理部と、
前記管理テーブルを参照して前記回線状況情報が運用中である前記第１のメディアゲートウェイ制御装置もしくは前記第２のメディアゲートウェイ制御装置で呼接続中の中継回線については、待機中の前記第２のメディアゲートウェイ制御装置もしくは前記第１のメディアゲートウェイ制御装置に前記中継回線に対して閉塞信号を送信し、呼接続後の中継回線に対して閉塞解除信号を送信する閉塞信号送信部と、
を備えることを特徴とする請求項２または請求項３に記載された回線振分装置。
【請求項５】
加入者端末と接続するコールエージェントと、前記コールエージェントとＩＰ網を介して接続され、前記コールエージェントと既存の回線交換網との間の呼接続を制御する第１のメディアゲートウェイ制御装置と、前記回線交換網における音声信号と前記ＩＰ網におけるＩＰパケットとの伝送方式を変換するメディアゲートウェイと、前記回線交換網と接続される共通信号線インタフェースを終端するシグナリングゲートウェイと、を備えるＩＰ電話システムのメディアゲートウェイ制御装置切替システムであって、
呼接続を制御する制御装置を前記第１のメディアゲートウェイ制御装置から、前記ＩＰ網に接続される第２のメディアゲートウェイ制御装置に切り替えるにあたり、
前記第１のメディアゲートウェイ制御装置もしくは前記第２のメディアゲートウェイ制御装置と、前記第１のメディアゲートウェイ制御装置もしくは前記第２のメディアゲートウェイ制御装置により制御される前記メディアゲートウェイおよび前記シグナリングゲートウェイとの間に接続され、前記第１のメディアゲートウェイ制御装置および前記第２のメディアゲートウェイ制御装置と前記シグナリングゲートウェイとの間で伝送されるＳＧＷ制御信号を中継し、前記第１のメディアゲートウェイ制御装置および前記第２のメディアゲートウェイ制御装置と前記回線交換網との間の各中継回線の回線状況および呼接続状況を監視して、前記ＳＧＷ制御信号を送信すべき前記第１のメディアゲートウェイ制御装置もしくは前記第２のメディアゲートウェイ制御装置に送付先を決定して前記ＳＧＷ制御信号を振り分けるとともに、前記第１のメディアゲートウェイ制御装置および前記第２のメディアゲートウェイ制御装置と前記メディアゲートウェイとの間で伝送されるＭＧＷ制御信号を中継し、前記ＭＧＷ制御信号のトランザクション情報に基づき、前記第１のメディアゲートウェイ制御装置もしくは前記第２のメディアゲートウェイ制御装置に送付先を決定して前記ＭＧＷ制御信号を振り分ける回線振分装置と、
を備えることを特徴とするメディアゲートウェイ制御装置切替システム。
【請求項６】
前記ＳＧＷ制御信号は、Ｍ３ＵＡ（Message Transfer part3 User Adaptation）で規定される通信プロトコルに従い送受信される制御信号であり、
前記ＭＧＷ制御信号は、ＭＥＧＡＣＯ（Media gateway Control）で規定される通信プロトコルに従い送受信される制御信号であることを特徴とする請求項５に記載されたメディアゲートウェイ制御装置切替システム。
【請求項７】
加入者端末と接続するコールエージェントと、既存の回線交換網との呼接続を制御する第１のメディアゲートウェイ制御装置と、前記回線交換網における音声信号とＩＰ網におけるＩＰパケットとの伝送方式を変換するメディアゲートウェイと、前記回線交換網との間の共通信号線インタフェースを終端するシグナリングゲートウェイと、を含むソフトスイッチ構成を有するＩＰ電話システムにおいて、前記ＩＰ網と前記回線交換網間の呼接続および回線状態を管理する制御装置を前記第１のメディアゲートウェイ制御装置から第２のメディアゲートウェイ制御装置に切り替えるメディアゲートウェイ制御装置の切替方法であって、
前記第１のメディアゲートウェイ制御装置から引き継がれる前記回線交換網との間のそれぞれの中継回線毎の回線状況情報を含む管理データが記憶される管理テーブルを持つ前記第２のメディアゲートウェイ制御装置が、前記メディアゲートウェイおよび前記シグナリングゲートウェイとの間の信号を中継する回線振分装置を経由して前記ＩＰ網に接続され、
前記第２のメディアゲートウェイ制御装置が、保守管理者により入力された操作情報を取得して、回線状況情報と呼接続状況情報を示す前記第２のメディアゲートウェイ制御装置の中継回線データを記憶する第１のステップと、
前記回線振分装置が、前記保守管理者により入力された操作情報を取得して、待機中のメディアゲートウェイ制御装置が前記第２のメディアゲートウェイ制御装置であることを前記管理テーブルに記憶させる第２のステップと、
前記コールエージェントが、前記第１のメディアゲートウェイ制御装置の切替えに伴う前記保守管理者により入力された操作情報を取得してルーティングデータを変更する第３のステップと、
前記回線振分装置が、前記保守管理者により入力された操作情報を取得して前記管理テーブルの管理データを、前記第１のメディアゲートウェイ制御装置の回線状況情報を運用中から待機中に、前記第２のメディアゲートウェイ制御装置の回線状況情報を待機中から運用中に切り替えて記憶し、切替後に要求のあった呼接続を前記第２のメディアゲートウェイ制御装置が行う第４のステップと、
前記回線振分装置が、前記保守管理者により入力された操作情報を取得して、前記管理テーブルに記憶されている前記第１のメディアゲートウェイ制御装置の回線状況情報を削除する第５のステップと、
前記第１のメディアゲートウェイ制御装置が、前記保守管理者により入力された操作情報を取得して、記憶されている前記第１のメディアゲートウェイ制御装置の中継回線データを削除する第６のステップと、
を有することを特徴とするメディアゲートウェイ制御装置の切替方法。
【請求項８】
前記第４のステップは、
前記回線振分装置が前記第１のメディアゲートウェイ制御装置の変更処理を実施するとき、前記第１のメディアゲートウェイ制御装置で接続中の呼に対して、前記第１のメディアゲートウェイ制御装置が継続して接続するように制御し、前記呼が切断された場合、前記第２のメディアゲートウェイ制御装置に閉塞解除信号を送信するステップと、
前記第１のメディアゲートウェイ制御装置で接続中であった呼が切断された場合、前記回線振分装置が前記保守管理者により入力された操作情報を取得して、前記管理テーブルに記憶された前記第１のメディアゲートウェイ制御装置の中継回線毎の管理データを削除するステップと、
を含むことを特徴とする請求項７に記載されたメディアゲートウェイ制御装置の切替方法。
【発明の詳細な説明】
【技術分野】
【０００１】
本発明は、ＩＰ（Internet Protocol）網を介して既存の回線交換網と呼接続処理を行うＩＰ電話システムに用いられる、回線振分装置、およびメディアゲートウェイ制御装置切替システム、ならびにメディアゲートウェイ制御装置の切替方法に関するものである。
【背景技術】
【０００２】
ＩＰ電話が普及し、ＩＰ網を介してＰＳＴＮ（Public Switch Telephone Network）など既存の回線交換網に接続するＩＰ電話システムが増えている。
ＰＳＴＮ交換網と接続可能なＩＰ電話システムは、例えば、図１２に示されるように、加入者端末１０１１と接続するコールエージェント（ＣＡ１０１２）と、ＰＳＴＮ交換網Ｎ１００２との呼接続を制御するメディアゲートウェイ制御装置（ＭＧＣ１０１３Ａ）と、ゲートウェイ装置に備えられるＰＳＴＮ交換網Ｎ１００２における信号網と接続するＳＳ７インタフェース（共通信号線インタフェース）を終端するシグナリングゲートウェイ（ＳＧＷ１０１４）、ＰＳＴＮ交換網Ｎ１００２における音声信号とＩＰ網Ｎ１００１におけるＩＰパケットとの伝送方式を変換（メディア変換）する（音声信号⇔ＩＰパケット）メディアゲートウェイ（ＭＧＷ１０１５Ａ、ＭＧＷ１０１５Ｂ）などの複数のゲートウェイとの組み合わせからなるソフトスイッチ構成を有している（例えば、非特許文献１、２参照）。
なお、図１２において、符号１０２０、１０２１、１０２２は、ＰＳＴＮ交換網Ｎ１００２における、中継交換機、加入者交換機、加入者端末をそれぞれ示す。
【０００３】
ここで、ＭＧＣ１０１３Ａは、ＳＧＷ１０１４やＭＧＷ１０１５Ａを制御し、ＰＳＴＮ交換網Ｎ１００２との呼接続を制御する装置である。ＭＧＣ１０１３Ａ、ＳＧＷ１０１４およびＭＧＷ１０１５Ａは、ＰＳＴＮ交換網Ｎ１００２との接続数やトラフィック量に適した数の装置を有している。
ところで、前記したＩＰ電話システムを運用するにあたり、トラフィック量の増加または減少によって、メディアゲートウェイ制御装置（ＭＧＣ）の増設または撤去を行い、ＳＧＷ１０１４およびＭＧＷ１０１５Ａ、ＭＧＷ１０１５Ｂを制御するＭＧＣを切り替える必要がある。その場合、通話やデータ伝送を中断せずに切り替えることが要求される。
【０００４】
そのため、従来、図１２に示す手順（ａ）〜（ｃ）に従い、ＭＧＣ１０１３Ａから増設されたＭＧＣ１０１３Ｂに切り替えていた。図１２（ａ）は、変更前のＩＰ電話システム１０１０の接続構成を示す。
以下、図１２（ｂ）および（ｃ）に示すように、新たにＭＧＣ１０１３Ｂを増設し、変更先ＭＧＣ１０１３Ｂに接続する例を示す。
【０００５】
まず、ＭＧＣ１０１３Ａを切り替えるにあたり、ＩＰ電話事業者は、ＭＧＣ１０１３Ｂを増設し、ＭＧＣ１０１３ＢとＰＳＴＮ交換網Ｎ１００２に設置された中継交換機１０２０とを、ＭＧＣ１０１３Ｂを経由して接続する中継回線と、ＭＧＣ１０１３ＢとＳＧＷ１０１４とを接続する中継回線とを新設する増設工事を行う。
変更先ＭＧＣ１０１３Ｂを経由する中継回線が通信可能になれば、ＩＰ電話事業者は、ＰＳＴＮ交換網事業者に依頼し、変更先ＭＧＣ１０１３Ｂを経由して呼接続が行われるように、ＣＡ１０１２および中継交換機１０２０のルーティング情報（通信経路情報）を変更する（図１２（ｂ））。
【０００６】
ルーティング情報変更後、ＣＡ１０１２と中継交換機１０２０との間のすべての呼は変更先ＭＧＣ１０１３Ｂを経由して接続される。そのため、ＩＰ電話事業者は、変更元ＭＧＣ１０１３Ａと中継交換機１０２０とを接続中の呼が終了すれば（存在しなくなれば）、撤去工事を行い、変更元のＭＧＣ１０１３Ａを撤去している（図１２（ｃ））。
これにより、変更元ＭＧＣ１０１３Ａと、変更先ＭＧＣ１０１３Ｂとの入れ替え工事や、変更元ＭＧＣ１０１３Ａに接続されていた回線を外し、変更先ＭＧＣ１０１３Ｂに接続する回線移設工事を行うことができる。
【０００７】
【非特許文献１】「Request for Comments:3332、Signaling System 7 (SS7) Message Transfer Part.3(MTP3)-User Adaptation Layer(M3UA)」、Network Working Group、2002年9月発行
【非特許文献２】「H.248 Sub-series Implementers’ Guide」、ITUT-T、2008年5月2日発行
【発明の開示】
【発明が解決しようとする課題】
【０００８】
しかしながら、前記のＭＧＣ１０１３Ａの切替方法によれば、ＰＳＴＮ交換網Ｎ１００２に設置された中継交換機１０２０との接続の切替えを行うために回線の増設／撤去工事を行う必要があり、柔軟に変更作業が実施できず、また変更に伴う工事に時間および費用が必要になる。
そのため、ＩＰ電話システム１０１０を構成するソフトスイッチに対する操作だけで、ＭＧＣ１０１３Ａの切替作業を実施することが要求される。その場合に、通話やデータ伝送を中断することなくＭＧＣ１０１３Ａを切り替えるためには、ＭＧＣ１０１３Ａで制御している「中継回線に関する情報」を変更先ＭＧＣ１０１３Ｂが引き継ぐ必要がある。
しかしながら、従来のＭＧＣ１０１３Ａは「中継回線に関する情報」を引き継ぐ機能を実装していないため、切り替える場合は、ＭＧＣ１０１３Ａに新たに「中継回線に関する情報を引き継ぐ機能」を実装させる必要があるという課題があった。
【０００９】
本発明は前記課題を解決するために、メディアゲートウェイ制御装置に「中継回線に関する情報を引き継ぐ機能」を持たせることなく、かつ、通話やデータ伝送を中断することなくメディアゲートウェイ制御装置を切替可能な、回線振分装置、およびメディアゲートウェイ制御装置切替システム、ならびにメディアゲートウェイ制御装置の切替方法を提供することを目的とする。
【課題を解決するための手段】
【００１０】
前記目的を達成するために、本発明の回線振分装置は、ＩＰ網に接続され、既存の回線交換網との間の呼接続を制御する第１のメディアゲートウェイ制御装置および第２のメディアゲートウェイ制御装置と、前記回線交換網に接続され、前記第１のメディアゲートウェイ制御装置もしくは前記第２のメディアゲートウェイ制御装置により制御されるゲートウェイ装置と、前記第１のメディアゲートウェイ制御装置および前記第２のメディアゲートウェイ制御装置と前記ゲートウェイ装置との間に接続される回線振分装置であって、前記第１のメディアゲートウェイ制御装置および前記第２のメディアゲートウェイ制御装置と前記ゲートウェイ装置との間で伝送される制御信号を中継するとともに、前記制御信号を監視して、前記第１のメディアゲートウェイ制御装置と前記回線交換網との間で呼接続中の各中継回線の回線状況を維持したまま、呼接続が終了した前記中継回線の呼接続を制御する制御装置を、前記第１のメディアゲートウェイ制御装置から前記第２のメディアゲートウェイ制御装置に切り替える制御手段、を備えるものである。
【００１１】
また、本発明のメディアゲートウェイ制御装置切替システムは、加入者端末と接続するコールエージェントと、前記コールエージェントとＩＰ網を介して接続され、前記コールエージェントと既存の回線交換網との間の呼接続を制御する第１のメディアゲートウェイ制御装置と、前記回線交換網における音声信号と前記ＩＰ網におけるＩＰパケットとの伝送方式を変換するメディアゲートウェイと、前記回線交換網と接続される共通信号線インタフェースを終端するシグナリングゲートウェイと、を備えるＩＰ電話システムのメディアゲートウェイ制御装置切替システムであって、呼接続を制御する制御装置を前記第１のメディアゲートウェイ制御装置から、前記ＩＰ網に接続される第２のメディアゲートウェイ制御装置に切り替えるにあたり、前記第１のメディアゲートウェイ制御装置もしくは前記第２のメディアゲートウェイ制御装置と、前記第１のメディアゲートウェイ制御装置もしくは前記第２のメディアゲートウェイ制御装置により制御される前記メディアゲートウェイおよび前記シグナリングゲートウェイとの間に接続され、前記第１のメディアゲートウェイ制御装置および前記第２のメディアゲートウェイ制御装置と前記シグナリングゲートウェイとの間で伝送されるＳＧＷ制御信号を中継し、前記第１のメディアゲートウェイ制御装置および前記第２のメディアゲートウェイ制御装置と前記回線交換網との間の各中継回線の回線状況および呼接続状況を監視して、前記ＳＧＷ制御信号を送信すべき前記第１のメディアゲートウェイ制御装置もしくは前記第２のメディアゲートウェイ制御装置に送付先を決定して前記ＳＧＷ制御信号を振り分けるとともに、前記第１のメディアゲートウェイ制御装置および前記第２のメディアゲートウェイ制御装置と前記メディアゲートウェイとの間で伝送されるＭＧＷ制御信号を中継し、前記ＭＧＷ制御信号のトランザクション情報に基づき、前記第１のメディアゲートウェイ制御装置もしくは前記第２のメディアゲートウェイ制御装置に送付先を決定して前記ＭＧＷ制御信号を振り分ける回線振分装置と、を備えるものである。
【００１２】
また、本発明のメディアゲートウェイ制御装置の切替方法は、加入者端末と接続するコールエージェントと、既存の回線交換網との呼接続を制御する第１のメディアゲートウェイ制御装置と、前記回線交換網における音声信号とＩＰ網におけるＩＰパケットとの伝送方式を変換するメディアゲートウェイと、前記回線交換網との間の共通信号線インタフェースを終端するシグナリングゲートウェイと、を含むソフトスイッチ構成を有するＩＰ電話システムにおいて、前記ＩＰ網と前記回線交換網間の呼接続および回線状態を管理する制御装置を前記第１のメディアゲートウェイ制御装置から第２のメディアゲートウェイ制御装置に切り替えるメディアゲートウェイ制御装置の切替方法であって、前記第１のメディアゲートウェイ制御装置から引き継がれる前記回線交換網との間のそれぞれの中継回線毎の回線状況情報を含む管理データが記憶される管理テーブルを持つ前記第２のメディアゲートウェイ制御装置が、前記メディアゲートウェイおよび前記シグナリングゲートウェイとの間の信号を中継する回線振分装置を経由して前記ＩＰ網に接続され、前記第２のメディアゲートウェイ制御装置が、保守管理者により入力された操作情報を取得して、回線状況情報と呼接続状況情報を示す前記第２のメディアゲートウェイ制御装置の中継回線データを記憶する第１のステップと、前記回線振分装置が、前記保守管理者により入力された操作情報を取得して、待機中のメディアゲートウェイ制御装置が前記第２のメディアゲートウェイ制御装置であることを前記管理テーブルに記憶させる第２のステップと、前記コールエージェントが、前記第１のメディアゲートウェイ制御装置の切替えに伴う前記保守管理者により入力された操作情報を取得してルーティングデータを変更する第３のステップと、前記回線振分装置が、前記保守管理者により入力された操作情報を取得して前記管理テーブルの管理データを、前記第１のメディアゲートウェイ制御装置の回線状況情報を運用中から待機中に、前記第２のメディアゲートウェイ制御装置の回線状況情報を待機中から運用中に切り替えて記憶し、切替後に要求のあった呼接続を前記第２のメディアゲートウェイ制御装置が行う第４のステップと、前記回線振分装置が、前記保守管理者により入力された操作情報を取得して、前記管理テーブルに記憶されている前記第１のメディアゲートウェイ制御装置の回線状況情報を削除する第５のステップと、前記第１のメディアゲートウェイ制御装置が、前記保守管理者により入力された操作情報を取得して、記憶されている前記第１のメディアゲートウェイ制御装置の中継回線データを削除する第６のステップと、を有するものである。
【発明の効果】
【００１３】
本発明によれば、メディアゲートウェイ制御装置に「中継回線に関する情報を引き継ぐ機能」を持たせることなく、かつ、通話やデータ伝送を中断することなくメディアゲートウェイ制御装置を切替可能な、回線振分装置、およびメディアゲートウェイ制御装置切替システム、ならびにメディアゲートウェイ制御装置の切替方法を提供することができる。
【発明を実施するための最良の形態】
【００１４】
［メディアゲートウェイ制御装置切替システムの説明］
図１は、本発明の実施の形態に係るメディアゲートウェイ制御装置切替システムの接続構成の一例を示す図である。
図１に示されるように、本発明の実施の形態に係るメディアゲートウェイ制御装置切替システム１０は、運用中のメディアゲートウェイ制御装置を別のメディアゲートウェイ制御装置に切り替えるにあたり、運用中の変更元ＭＧＣ１３Ａ（第１のメディアゲートウェイ制御装置）とは別に変更先ＭＧＣ１３Ｂ（第２のメディアゲートウェイ制御装置）が新設（増設）される。
また、変更元ＭＧＣ１３Ａおよび変更先ＭＧＣ１３Ｂと、ＳＧＷ１４およびＭＧＷ１５との間に回線振分装置１６が設置される。そして、変更元ＭＧＣ１３Ａおよび変更先ＭＧＣ１３Ｂと、ＳＧＷ１４およびＭＧＷ１５との間で伝送される制御信号が、回線振分装置１６を経由するルートで送受信されるように構成される。
なお、加入者端末１１と接続するコールエージェントＣＡ１２は、ルーティングデータ（通信経路情報）を記憶するルーティングテーブル（不図示）を有している。
【００１５】
ここで、保守管理者（ＩＰ電話事業者）がメディアゲートウェイ制御装置切替システム１０を保守運用するために、ＣＡ１２、変更元ＭＧＣ１３Ａ、変更先ＭＧＣ１３Ｂ、回線振分装置１６のそれぞれに、例えば、表示モニタとキーボードからなるオペレーション装置（ＯＰ）１２０、１３０Ａ、１３０Ｂ、１６０が接続されている。保守管理者は、ＯＰを操作して、情報の入力および設定を行う。
【００１６】
一方、回線振分装置１６は、変更元ＭＧＣ１３Ａおよび変更先ＭＧＣ１３Ｂと、ＰＳＴＮ交換網Ｎ２（中継交換機２０）との間のそれぞれの中継回線の回線状況（回線保守状態）および呼接続状況（呼接続状態）を監視して得られる管理データを記憶する管理テーブル２００（図５〜図８）を有している。
管理テーブル２００は、後記する図５〜図８にそのデータ構造の一例が示されるように、ポイントコード「Ａ」で示される中継交換機と接続する中継回線の番号「０〜３」とで示される中継回線毎（A/0〜A/3）に、運用中ＭＧＣと、待機中ＭＧＣと、運用中ＳＧＷと、保守運用状態（空き／閉塞）との各データフィールドからなる「回線保守状態」（回線状況情報）、および、呼処理状態（接続／空き）と、接続中ＭＧＣとの各データフィールドからなる「呼接続状態」（呼接続状況情報）に関する管理データから構成される。
【００１７】
また、変更元ＭＧＣ１３Ａおよび変更先ＭＧＣ１３Ｂはそれぞれ、後記する図５〜図８にそのデータ構造の一例が示される中継回線データテーブル３００Ａ，３００Ｂを有している。
中継回線データテーブル３００Ａ（３００Ｂ）には、ポイントコードで示される中継回線毎に、“空き”、“相手局閉塞”、“自局閉塞”、“両局閉塞”のいずれかを示す「保守運用状態」と、“空き”、“接続”（“入接続”、“出接続”）のいずれかを示す「呼処理状態」に関する中継回線データがそれぞれ記憶されている。
【００１８】
ここで、管理テーブル２００および中継回線データテーブル３００Ａ（３００Ｂ）で示される「保守運用状態」および「呼処理状態」の各データについて説明する。
「保守運用状態」にて、“空き”は通信可能であることを示し、“相手局閉塞”、“自局閉塞”、“両局閉塞”は新しく呼を接続できない（新規呼接続不可）ことを示す。また、「呼処理状態」にて、“空き”は呼接続が可能であることを示し、“入接続”は中継交換網側からの呼接続中であることを示し、“出接続”はＩＰ事業者側からの呼接続中であることを示す。ここでは“入接続”であっても“出接続”であっても“接続”と示す。
そして、新規にメディアゲートウェイ制御装置（ここでは変更先ＭＧＣ１３Ｂ）を設置する場合、変更先ＭＧＣ１３Ｂが有する中継回線データテーブル３００Ｂには、初期設定である「保守運用状態」が“自局閉塞”、「呼処理状態」が“空き”と記憶されている（図５）。
【００１９】
本発明の実施の形態に係るメディアゲートウェイ制御装置切替システムは、前記構成を備える。
保守管理者は、変更元ＭＧＣ１３Ａ、変更先ＭＧＣ１３Ｂ、ＳＧＷ１４、ＭＧＷ１５、回線振分装置１６のそれぞれと接続されるオペレーション装置（ＯＰ）１３０Ａ、１３０Ｂ、１６０を操作して、必要な情報を入力する。
これにより、回線振分装置１６は、変更元ＭＧＣ１３Ａと、変更先ＭＧＣ１３Ｂと、ＳＧＷ１４およびＭＧＷ１５との間で伝送される制御信号を中継するとともに、制御信号を監視して変更元ＭＧＣ１３ＡとＰＳＴＮ交換網Ｎ２における各中継回線の回線保守状態と呼処理状態を記憶する。そのため、回線振分装置１６を備えることで、変更元ＭＧＣ１３Ａは自身の回線保守状態と呼処理状態を変更先ＭＧＣ１３Ｂに引き継ぐ機能を備える必要がない。また、通話やデータ伝送を中断することなく、変更元ＭＧＣ１３Ａから変更先ＭＧＣ１３Ｂへの切替作業を行うことができる。
【００２０】
このため、回線振分装置１６は、変更元ＭＧＣ１３Ａおよび変更先ＭＧＣ１３Ｂと、ＳＧＷ１４との間を、例えば、ＲＦＣ３３３２で規定されたＭ３ＵＡ（Message Transfer part3 User Adaptation）やＳＣＴＰ（Stream Control Transmission protocol）の通信プロトコルに従って伝送されるＭ３ＵＡ信号（ＳＧＷ制御信号）を中継する。そして、変更元ＭＧＣ１３Ａおよび変更先ＭＧＣ１３Ｂと、ＰＳＴＮ交換網Ｎ２との間を接続する各中継回線の回線保守状態および呼接続状態を監視し、Ｍ３ＵＡ信号を、送信先である変更元ＭＧＣ１３Ａ、変更先ＭＧＣ１３Ｂに振り分ける機能を有する。
ここでは、Ｍ３ＵＡ通信プロトコルに従って伝送される信号をＭ３ＵＡ信号とする。
【００２１】
また、回線振分装置１６は、変更元ＭＧＣ１３Ａおよび変更先ＭＧＣ１３Ｂと、ＭＧＷ１５との間を、例えば、Ｈ２４８で規定されたＭＥＧＡＣＯ（Media gateway Control）などのＵＤＰ（User datagram Protocol）通信プロトコルに従って伝送されるＭＥＧＡＣＯ信号（ＭＧＷ制御信号）を中継する。そして、ＭＥＧＡＣＯ信号に含まれるトランザクション情報に基づき、送信先である変更元ＭＧＣ１３Ａ、変更先ＭＧＣ１３Ｂに振り分ける機能も有する。
ここでは、ＭＥＧＡＣＯ通信プロトコルに従って伝送される信号をＭＥＧＡＣＯ信号とする。
【００２２】
ここで、図１に示すＭＧＣ１３Ａ（ＭＧＣ１３Ｂ）とＳＧＷ１４との間、およびＭＧＣ１３Ａ（ＭＧＣ１３Ｂ）とＭＧＷ１５との間に設置された回線振分装置１６を経由する信号伝送シーケンスについて説明する。
図２には、ＭＧＣ１３Ａ（ＭＧＣ１３Ｂ）とＳＧＷ１４との間の信号伝送シーケンスが、図３には、ＭＧＣ１３Ａ（ＭＧＣ１３Ｂ）とＭＧＷ１５との間の信号伝送シーケンスがそれぞれ示されている。
【００２３】
ＭＧＣ１３Ａ（ＭＧＣ１３Ｂ）とＳＧＷ１４と、それらの間に設置された回線振分装置１６とはＩＰ網Ｎ１を介して接続されており、ＭＧＣ１３Ａ（ＭＧＣ１３Ｂ）〜回線振分装置１６〜ＳＧＷ１４の通信経路（Ｍ３ＵＡアソシエーション）が確立してから、呼制御信号および回線保守信号（Ｍ３ＵＡペイロードデータ）、網管理信号（ＳＳＮＭ信号）など、Ｍ３ＵＡ信号を送受信することができる（ステップＳ２０１、Ｓ２０３、Ｓ２１１、Ｓ２１３）。
【００２４】
回線振分装置１６は、ＳＧＷ１４の接続先のＰＳＴＮ交換網Ｎ２における中継交換機２０のポイントコードと、回線番号と、送信先のＭＧＣ１３Ａ（ＭＧＣ１３Ｂ）およびＳＧＷ１４の識別番号からなる対応テーブル１６７（図９）を有しており、前記したＭ３ＵＡ信号に含まれる送信元ポイントコードおよび回線番号に基づき対応テーブル１６７を参照し、送信先にＭＧＣ１３Ａ（ＭＧＣ１３Ｂ）およびＳＧＷ１４を決定し、Ｍ３ＵＡ信号を振り分ける（ステップＳ２０２、Ｓ２１２）。
【００２５】
一方、ＭＧＣ１３Ａ（ＭＧＣ１３Ｂ）とＭＧＷ１５との間はＩＰ網Ｎ１を介して接続され、ＭＥＧＡＣＯ信号の送受信が行われる。図３は、ＭＥＧＡＣＯ信号としてパケットの送受信が行われる例を示す。
図３に示されるように、ＭＧＣ１３Ａ（ＭＧＣ１３Ｂ）はパケットを送信する際に、トランザクション番号“Ｘ”と、送信元ＩＰアドレスを“Ｙ１”（＝ＭＧＣ１３Ａ（ＭＧＣ１３Ｂ））に設定して、回線振分装置１６に送信する（ステップＳ３０１）。
パケットを受信した回線振分装置１６は、パケットがＭＧＣ１３Ａ（ＭＧＣ１３Ｂ）から送信されたものであることを示すために、対応テーブル１６７（図９）に、トランザクション番号“Ｘ”と送信元（＝ＭＧＣ１３Ａ（ＭＧＣ１３Ｂ））のＩＰアドレス“Ｙ１”との関係を記憶する（ステップＳ３０２）。
そして、回線振分装置１６は、ＮＡＴ（Network Address Translation）機能を用いて、トランザクション番号は“Ｘ”のままで、送信元ＩＰアドレスを“Ｙ１”（＝ＭＧＣ１３Ａ（ＭＧＣ１３Ｂ））から“Ｙ２”（＝回線振分装置１６）に変更して、パケットをＭＧＷ１５に送信する（ステップＳ３０３）。
【００２６】
回線振分装置１６からパケットを受信したＭＧＷ１５は、応答パケットを生成する。その際、受信したパケットに対応したトランザクション番号“Ｘ”を設定した応答パケットを“Ｙ２”（＝回線振分装置１６）に送信する処理を行う（ステップＳ３０４）。
回線振分装置１６は、対応テーブル１６７（図９）を参照して、応答パケットに含まれるトランザクション番号“Ｘ”から、送信先ＩＰアドレス“Ｙ１”（＝ＭＧＣ１３Ａ（ＭＧＣ１３Ｂ））を取得する（ステップＳ３０５）。その取得したデータは、一定時間後に対応テーブル１６７から削除する。
そして、回線振分装置１６は、応答パケットを送信先ＩＰアドレス“Ｙ１”が示すＭＧＣ１３Ａ（ＭＧＣ１３Ｂ）にトランザクション番号“Ｘ”と共に送信する（ステップＳ３０６）。
以上により、ＭＧＣ１３Ａ（ＭＧＣ１３Ｂ）が送信したパケットに対する応答パケットを、送信元のＭＧＣ１３Ａ（ＭＧＣ１３Ｂ）に送信することができる。
【００２７】
［メディアゲートウェイ制御装置の切替方法の説明］
図４は、本発明の実施の形態に係るメディアゲートウェイ制御装置の切替方法の手順を示すフローチャートである。また、図５〜図８は、図４に示したフローチャートの特定のステップに対応して、中継回線データテーブル３００Ａ、３００Ｂ、および管理テーブル２００に記憶されるデータのデータ遷移図である。
以下、図１のメディアゲートウェイ制御装置切替システムの接続構成と、図４に示すフローチャートと、図５〜図８に示す中継回線データテーブル３００Ａ、３００Ｂ、管理テーブル２００のデータ遷移図とを参照しながら、本発明の実施の形態に係るメディアゲートウェイ制御装置の切替方法について詳細に説明する。
【００２８】
まず、保守管理者は、呼接続の制御を行っている運用中の変更元ＭＧＣ１３Ａとは別に、変更先ＭＧＣ１３Ｂを設置する（ステップＳ４０１）。
回線振分装置１６は、変更元ＭＧＣ１３Ａおよび変更先ＭＧＣ１３Ｂと、ＳＧＷ１４およびＭＧＷ１５との間で通信可能なＩＰ網Ｎ１に接続され、変更元ＭＧＣ１３Ａから変更先ＭＧＣ１３Ｂに切り替える前の段階では、変更元ＭＧＣ１３ＡとＳＧＷ１４との間のＭ３ＵＡ信号、および、変更元ＭＧＣ１３ＡとＭＧＷ１５間のＭＥＧＡＣＯ信号の中継を行っている。このことは図２および図３に示す信号伝送シーケンスにて説明したとおりである。
このとき、ＣＡ１２が備えるルーティングテーブル（不図示）には、ＭＧＣ１３Ａを経由して、ＰＳＴＮ交換網Ｎ２に設置された中継交換機２０に呼接続されるように設定されている。
また、回線振分装置１６が有する管理テーブル２００には、運用中の変更元ＭＧＣ１３Ａの回線保守状態および呼接続状態のデータが記憶されている。このため、中継回線（A/0〜A/3）のＭ３ＵＡ信号はすべて変更元ＭＧＣ１３Ａに送信される。
【００２９】
前記した状態において、システムトラフィック量の増減により、変更元ＭＧＣ１３Ａから変更先ＭＧＣ１３Ｂへの切替作業を開始するにあたり、保守管理者はＯＰ１３０Ｂを操作して情報を入力することにより、変更先ＭＧＣ１３Ｂは中継回線データテーブル３００Ｂに中継回線データを設定する（ステップＳ４０２）。
なお、この設定は、変更先ＭＧＣ１３Ｂに内蔵されるＣＰＵ（Central Processing Unit）がＯＰ１３０Ｂを介して入力された情報を取得して、同じく変更先ＭＧＣ１３Ｂに内蔵されるメモリに記憶して、中継回線データテーブル３００Ｂの中継回線データを更新する作業をいう。
なお、中継回線データは、例えば、図５の中継回線データテーブル３００Ｂに示すとおりである。ここで、中継回線データは、変更元ＭＧＣ１３Ａまたは変更先ＭＧＣ１３Ｂと、ＰＳＴＮ交換網Ｎ２に設置されたポイントコード「Ａ」で示される中継交換機２０との間の中継回線（A/0〜A/3）の運用を管理するための、中継回線毎の保守運用状態と呼処理状態を示すデータである。
【００３０】
ここで、保守管理者がＯＰ１６０を操作して情報を入力することにより、回線振分装置１６に記憶された管理テーブル２００のデータフィールド「待機中ＭＧＣ」に“変更先ＭＧＣ１３Ｂ”を設定する（ステップＳ４０３）。
【００３１】
そして、設置した変更先ＭＧＣ１３Ｂの保守状態更新処理を行う（ステップＳ４０４）。
ここで、「保守状態更新処理」とは、変更先ＭＧＣ１３Ｂの中継回線データテーブル３００Ｂに設定された初期設定データを更新し、メディアゲートウェイ制御装置として利用できるようにする処理である。
初期設定データとして、中継回線データテーブル３００Ｂには、「保守運用状態」に“自局閉塞”、「呼処理状態」に“空き”が設定されている。なお、このときの管理テーブル２００および中継回線データテーブル３００Ａ、３００Ｂの各データ項目に設定されるデータの一例を図５に示す。
まず、保守管理者がＯＰ１６０を操作して情報を入力することにより、待機中ＭＧＣ１３（ここでは変更先ＭＧＣ１３Ｂ）に対して回線状態通知要求を行う。この操作情報を受けた回線振分装置１６は、該当する中継回線（A/0〜A/3）において変更元ＭＧＣ１３Ａで呼接続されている回線については、変更先ＭＧＣ１３Ｂに回線保守信号（閉塞）を送信し、回線は変更元ＭＧＣ１３Ａにより呼接続されていることを通知する。また、中継交換機２０より保守閉塞されている回線についても変更先ＭＧＣ１３Ｂに回線保守信号（閉塞）を送信し、保守閉塞状態を通知する。
【００３２】
次に、保守管理者がＯＰ１３０Ｂを操作して回線保守状態変更（閉塞解除）することにより、変更先ＭＧＣ１３Ｂの中継回線データテーブル３００Ｂにて、初期設定で“自局閉塞”であった中継回線の自局側閉塞状態を解除する。閉塞解除時に、変更先ＭＧＣ１３Ｂから送信された閉塞解除信号を受信した回線振分装置１６は、中継交換機２０に信号を中継せず、その応答信号を生成して変更先ＭＧＣ１３Ｂに返送する。
ここで、先に変更元ＭＧＣ１３Ａで接続していた呼が終了した場合、回線振分装置１６は、管理テーブル２００の「呼処理状態」のデータを更新し、待機中のメディアゲートウェイ制御装置（ここでは変更先ＭＧＣ１３Ｂ）に対して該当中継回線A/0の閉塞解除信号を送信する。なお、このときの管理テーブル２００および中継回線データテーブル３００Ａ、３００Ｂの各データ項目に設定されるデータの一例を図６に示す。
なお図６では、変更元ＭＧＣ１３Ａが呼接続中であるため、中継回線データテーブル３００Ｂの中継回線A/1の保守運用状態のデータは「相手局閉塞」となっている。つまり、変更元ＭＧＣ１３Ａの呼が終了した場合は、中継回線A/1の保守運用状態のデータは「空き」となる。
以上で、ステップＳ４０４の保守状態更新処理を終了する。この保守状態更新処理は、設置するメディアゲートウェイ制御装置（ＭＧＣ１３Ｂ）の仕様により、設定が異なるものであり、メディアゲートウェイ制御装置として利用できるように設定されていればよい。
【００３３】
次に、保守管理者がＯＰ１２０を操作して情報を入力することにより、ＣＡ１２のルーティングテーブルを変更する。ここでは、中継交換機２０と呼接続する場合の、通信ルートを、変更元ＭＧＣ１３Ａを経由するルートから、変更先ＭＧＣ１３Ｂを経由するルートになるように変更する（ステップＳ４０５）。
続いて、保守管理者がＯＰ１６０を操作して、回線振分装置１６の管理テーブル２００にて、運用中ＭＧＣのデータと待機中ＭＧＣのデータとを入れ替える入力をする（ステップＳ４０６）。
そして、回線振分装置１６は、変更先ＭＧＣ１３Ｂを運用中にし、変更元ＭＧＣ１３Ａを待機中にする処理を行う。ここで、回線振分装置１６は、変更元ＭＧＣ１３Ａの全ての回線に回線保守信号（閉塞）を送信し、変更元ＭＧＣ１３Ａから新たに呼接続しないようにする（ステップＳ４０７）。なお、このときの管理テーブル２００および中継回線データテーブル３００Ａ、３００Ｂの各データ項目に設定されるデータの一例を図７に示す。
【００３４】
回線振分装置１６は、変更元ＭＧＣ１３Ａで接続されていた呼が切断された場合、変更元ＭＧＣ１３Ａでの回線使用が終了し使用可能になることを変更先ＭＧＣ１３Ｂに通知するため、該当回線の閉塞解除信号を変更先ＭＧＣ１３Ｂに送信する（ステップＳ４０８）。なお、このときの管理テーブル２００および中継回線データテーブル３００Ａ、３００Ｂの各データ項目に設定されるデータの一例を図８に示す。
ここで、回線振分装置１６は、中継回線毎に変更元ＭＧＣ１３Ａと接続中の呼があるか否かを判定する（ステップＳ４０９）。
回線振分装置１６は、中継回線毎に変更元ＭＧＣ１３Ａと接続中の呼があれば（管理テーブル２００の「呼処理状態」が“接続”かつ「接続中ＭＧＣ」が“ＭＧＣ１３Ａ”）（ステップＳ４０９，Ｙｅｓ）、ステップＳ４０８の処理に戻り、すべての回線で、変更元ＭＧＣ１３Ａと接続中の呼が終了するまで繰り返される。
【００３５】
ここで呼接続維持処理中に、空いている回線（管理テーブル２００の「呼処理状態」が“空き”）に新たに接続する呼がある場合、回線振分装置１６は、変更先ＭＧＣ１３Ｂに、空いている回線との呼接続信号を送信する。受信した変更先ＭＧＣ１３Ｂは、呼を接続する。このとき、回線振分装置１６の管理テーブル２００には、該当する回線の「呼処理状態」が“接続”、「接続中ＭＧＣ」が“ＭＧＣ１３Ｂ”のデータが記憶され、変更先ＭＧＣ１３Ｂの中継回線データテーブル３００Ｂには、該当する回線の「呼処理状態」が“接続”のデータが記憶される。
以上に示す呼接続維持処理により、システム運用時の切替作業中であっても変更元ＭＧＣ１３Ａの接続を維持することができる。このときの管理テーブル２００の各データフィールドに設定されてある管理データの一例が図７に示されている。
【００３６】
一方、回線振分装置１６は、変更元ＭＧＣ１３Ａと接続中の呼がなければ（管理テーブル２００の「呼処理状態」が“空き”）（ステップＳ４０９，Ｎｏ）、保守管理者がＯＰ１６０を操作して情報を入力することにより、回線振分装置１６は、管理テーブル２００の待機中ＭＧＣを示すデータフィールドにある変更元ＭＧＣ１３Ａの情報を削除する（ステップＳ４１０）。このときの中継回線データテーブル３００Ａ、３００Ｂ、および管理テーブル２００に設定されているデータの一例が、図８にそれぞれ示されている。
保守管理者がＯＰ１３０Ａを操作して情報を入力することにより、変更元ＭＧＣ１３Ａの中継回線データテーブル３００Ａに設定している中継交換機２０とのすべての中継回線（A/0〜A/3）中継回線データを削除し（ステップＳ４１１）、前記した一例のＭＧＣ切替作業を終了する。
【００３７】
前記した本発明の実施の形態に係るメディアゲートウェイ制御装置の切替方法によれば、変更元ＭＧＣ１３Ａおよび変更先ＭＧＣ１３Ｂと、ＳＧＷ１４およびＭＧＷ１５との間に回線振分装置１６を設置し、変更元ＭＧＣ１３Ａおよび変更先ＭＧＣ１３Ｂと、ＳＧＷ１４およびＭＧＷ１５との間で伝送される制御信号を回線振分装置１６が中継し、回線振分装置１６が、ＳＧＷ１４との間で伝送される制御信号を監視して中継回線の呼状態および保守運用状態を記憶して送信先を振り分け、記憶した中継回線の呼状態および保守運用状態を変更先ＭＧＣ１３Ｂに引き継ぐことにより、変更元ＭＧＣ１３Ａに中継回線データの引継機能を持たせることなく、かつ、通話やデータ伝送を中断することなく変更先ＭＧＣ１３Ｂに切替可能な、メディアゲートウェイ制御装置の切替方法を提供することができる。
【００３８】
［回線振分装置１６の説明］
図９は、本発明の実施の形態に係る回線振分装置が実行するプログラムの構造を機能展開して示したブロック図である。
回線振分装置１６は、前記したように、ＭＧＣ１３Ａ（ＭＧＣ１３Ｂ）と、ＳＧＷ１４およびＭＧＷ１５との間で伝送されるＭ３ＵＡ信号もしくはＭＥＧＡＣＯ信号を中継するとともに、前記したＭ３ＵＡ信号を監視し、変更元ＭＧＣ１３ＡとＰＳＴＮ交換網Ｎ２における各中継回線の回線保守状態を記憶し、変更先のＭＧＣ１３Ｂに対して引き継ぐ制御手段としての機能を備える。その制御手段の機能は、信号応答送信部１６１と、ルーティング機能部１６２と、回線状態監視部１６３と、回線状態代理応答部１６４と、呼制御信号振分処理部１６５と、閉塞信号送信部１６６と、対応テーブル１６７と、ＭＥＧＡＣＯ信号送受信部１６８と、Ｍ３ＵＡ信号送受信部１６９とを含む。
【００３９】
ＭＥＧＡＣＯ信号送受信部１６８は、ＭＧＣ１３Ａ（ＭＧＣ１３Ｂ）と、ＭＧＷ１５との間で伝送されるＭＥＧＡＣＯ信号を受信し、信号応答送信部１６１の指示によりＭＥＧＡＣＯ信号を送信する機能を有する。
また、Ｍ３ＵＡ信号送受信部１６９は、ＭＧＣ１３Ａ（ＭＧＣ１３Ｂ）と、ＳＧＷ１４との間で伝送されるＭ３ＵＡ信号を受信し、回線状態監視部１６３、回線状態代理応答部１６４、呼制御信号振分処理部１６５、閉塞信号送信部１６６の指示によりＭ３ＵＡ信号を送信する機能を有する。
【００４０】
信号応答送信部１６１は、変更元ＭＧＣ１３Ａもしくは変更先ＭＧＣ１３ＢがＭＧＷ１５に送信したＭＥＧＡＣＯ信号に付与されたトランザクション番号と、送信元のＭＧＣ１３Ａ（ＭＧＣ１３Ｂ）のＩＰアドレスとの対応関係を対応テーブル１６７に記憶する。
そして、ＭＧＷ１５が送信した応答信号（ＭＥＧＡＣＯ信号）に付与されたトランザクション番号から、対応テーブル１６７を参照して、対応関係にあるＩＰアドレス（＝ＭＧＣ１３Ａ（ＭＧＣ１３Ｂ））を取得し、ＭＥＧＡＣＯ信号送受信部１６８を介して応答信号をＭＧＣ１３Ａ（ＭＧＣ１３Ｂ）に送信する機能を有する。
また、ルーティング機能部１６２は、ＳＣＴＰ通信プロトコルを用いて、ＭＧＣ１３Ａ（ＭＧＣ１３Ｂ）およびＳＧＷ１４との間でアソシエーション（通信経路）を確立し、Ｍ３ＵＡ信号に含まれる送信先を示すポイントコードを用いて、ＭＧＣ１３Ａ（ＭＧＣ１３Ｂ）とＳＧＷ１４との間の制御信号の送受信を行う機能を有する。
【００４１】
回線状態監視部１６３は、ＩＳＵＰ（ＩＳＵＰ：ISDN User Part）通信プロトコルにより規定され、Ｍ３ＵＡ信号に含まれるＩＳＵＰメッセージを取得し、そのＩＳＵＰメッセージから各中継回線の回線保守状態および呼接続状態を監視し、その監視情報（回線保守状態および呼接続状態）を管理テーブル２００に記憶する機能を有する。
回線状態代理応答部１６４は、切替前の変更先ＭＧＣ１３Ｂから送信される閉塞解除信号をＰＳＴＮ交換網Ｎ２に設置された中継交換機２０に送信せず、代わりに、管理テーブル２００に記憶された回線保守状態を参照して該当中継回線の回線保守状態を送信（代理応答）する機能を有し、変更元ＭＧＣ１３Ａと変更先ＭＧＣ１３Ｂとの同一回線重複設定を可能にするものである。
【００４２】
呼制御信号振分処理部１６５は、変更元ＭＧＣ１３Ａから変更先ＭＧＣ１３Ｂへの切替えに依存せず、変更元ＭＧＣ１３Ａが呼接続中であれば、管理テーブル２００に記録された呼接続状態に従い、呼制御信号を呼接続中の変更元ＭＧＣ１３ＡにＭ３ＵＡ信号送受信部１６９を介して送信する機能を有する。
閉塞信号送信部１６６は、管理テーブル２００に記憶された回線保守状態が運用中である変更元ＭＧＣ１３Ａ（変更先ＭＧＣ１３Ｂ）で呼接続中の中継回線については、待機中の変更先ＭＧＣ１３Ｂ（変更元ＭＧＣ１３Ａ）に該当回線の回線保守信号を送信し、呼接続後の中継回線にＭ３ＵＡ信号送受信部１６９を介して閉塞解除信号を送信する機能を有する。
【００４３】
なお、前記した信号応答送信部１６１、ルーティング機能部１６２、回線状態監視部１６３、回線状態代理応答部１６４、呼制御信号振分処理部１６５、閉塞信号送信部１６６、ＭＥＧＡＣＯ信号送受信部１６８、Ｍ３ＵＡ信号送受信部１６９のそれぞれが有する機能は、回線振分装置１６が内蔵するＣＰＵが、同じく内蔵するメモリに記憶されたプログラムを逐次読み出して実行することにより、実現されるものであり、すべてをプログラムで実現してもよいし、一部を専用のハードウェアで実現してもよい。
【００４４】
図１０および図１１は、本発明の実施の形態に係る回線振分装置の動作を示すフローチャートである。以下、図１０および図１１のフローチャートを参照しながら、図９に示す本発明の実施の形態に係る回線振分装置の動作について詳細に説明する。
【００４５】
図２および図３を用いて前記したように、回線振分装置１６は、変更元ＭＧＣ１３Ａから変更先ＭＧＣ１３Ｂへの切替前の段階で、変更元ＭＧＣ１３ＡとＭＧＷ１５と間で伝送されるＭＥＧＡＣＯ信号の中継を行い（ステップＳ５０１）、変更元ＭＧＣ１３ＡとＳＧＷ１４との間で伝送されるＭ３ＵＡ信号の中継を行う（ステップＳ５０２）。これらは、回線振分装置１６が有する信号応答送信部１６１、ルーティング機能部１６２によりそれぞれ制御される。
このとき、回線状態監視部１６３は、変更元ＭＧＣ１３ＡとＳＧＷ１４との間で伝送されるＭ３ＵＡ信号に含まれるＩＳＵＰメッセージを取得し、各中継回線の回線保守状態および呼接続状態を監視し、その監視情報を管理テーブル２００に記憶している。
【００４６】
なお、この状態で、ＣＡ１２のルーティングテーブルには、ＰＳＴＮ交換網Ｎ２に設置された中継交換機２０への呼が、すべて変更元ＭＧＣ１３Ａを経由して接続されるように設定されている。また、回線振分装置１６の管理テーブル２００には、運用中の変更元ＭＧＣ１３Ａのみ回線保守状態および呼接続状態に関するデータが設定されており、このため、該当する中継回線のＭ３ＵＡ信号およびＭＥＧＡＣＯ信号は、すべて変更元ＭＧＣ１３Ａに送信される。
【００４７】
ここで、呼接続の制御を行っている運用中の変更元ＭＧＣ１３Ａとは別に、変更先ＭＧＣ１３Ｂが設置される（ステップＳ５０３）。
そして、システムトラフィック量の増減により、変更元ＭＧＣ１３Ａから変更先ＭＧＣ１３Ｂへの切替作業を実施するにあたり、保守管理者は、まず、ＯＰ１３０Ｂを操作して、変更先ＭＧＣ１３Ｂの中継回線データテーブル３００Ｂに中継回線データを設定する。
次に、保守管理者がＯＰ１６０を操作して情報を入力することにより、回線振分装置１６の管理テーブル２００を参照し、管理テーブル２００の待機中ＭＧＣのデータフィールドに変更先ＭＧＣ１３Ｂのデータが設定される（ステップＳ５０４）。
【００４８】
そして、回線振分装置１６は、閉塞信号送信部１６６が、変更先ＭＧＣ１３Ｂに対して回線保守信号（閉塞）を送信し、ＰＳＴＮ交換網Ｎ２側の中継交換機２０との間の中継回線の閉塞状態を通知する（ステップＳ５０５）。
ステップＳ５０５の処理において、閉塞信号送信部１６６は、管理テーブル２００の「保守運用状態」のデータを参照して変更先ＭＧＣ１３Ｂに閉塞状態を通知する。このとき、変更元ＭＧＣ１３Ａの中継回線が呼接続中であれば、変更先ＭＧＣ１３Ｂに対して呼接続中回線の回線保守信号（閉塞）を送信し、変更先ＭＧＣ１３Ｂにて、その中継回線が閉塞状態に設定される。
【００４９】
そして、設置した変更先ＭＧＣ１３Ｂの保守状態更新処理を行う。「保守状態更新処理」とは、変更先ＭＧＣ１３Ｂの中継回線データテーブル３００Ｂに設定された初期設定データを更新し、メディアゲートウェイ制御装置として利用できるようにする処理である。
そして、保守管理者がＯＰ１３０Ｂを操作して情報を入力することにより、変更先ＭＧＣ１３Ｂに対し初期状態で自局閉塞状態であった交換回線の自局閉塞（新規呼接続不可）を解除する。続いて、変更先ＭＧＣ１３Ｂから閉塞解除信号を受信した回線振分装置１６は、その応答信号を生成して変更先ＭＧＣ１３Ｂに返送する。
すなわち、回線振分装置１６は、回線状態代理応答部１６４が、変更先ＭＧＣ１３Ｂから送信される回線保守信号について中継交換機２０に送信せず破棄し、変更先ＭＧＣ１３Ｂに管理テーブル２００に記憶された回線保守状態を参照して該当中継回線の保守運用状態を代理応答する。また、このとき、閉塞信号送信部１６６は、管理テーブル２００に記憶された回線保守状態が運用中になっている変更元ＭＧＣ１３Ａで呼接続中の中継回線については待機中の変更先ＭＧＣ１３Ｂに該当回線の閉塞信号を送信し、呼接続後の中継回線に対して閉塞解除信号を送信する。以上で保守状態更新処理を終了する。
【００５０】
そして、変更元ＭＧＣ１３Ａとの接続中の呼（呼接続）が終了した場合、回線状態監視部１６３は管理テーブルの状態を更新し、閉塞信号送信部１６６は接続終了した回線の閉塞解除信号を変更先ＭＧＣ１３Ｂに送信する（ステップＳ５０６）。
また、変更元ＭＧＣ１３Ａで新規呼接続が発生した場合、回線状態監視部１６３は管理テーブルの状態を更新し、閉塞信号送信部１６６は接続開始した回線の閉塞信号を変更先ＭＧＣ１３Ｂに送信する（ステップＳ５０７）。
【００５１】
次に、保守管理者がＯＰ１２０を操作して情報を入力することにより、ＣＡ１２のルーティングテーブルが変更元ＭＧＣ１３Ａから変更先ＭＧＣ１３Ｂに変更される。
ここで、保守管理者によりＯＰ１３０Ｂが操作され、回線振分装置１６に記憶された管理テーブル２００の運用中ＭＧＣ（＝変更元ＭＧＣ１３Ａ）のデータと、待機中ＭＧＣ（＝変更先ＭＧＣ１３Ｂ）のデータとを入れ替える入力がされたか否かを判定する（ステップＳ５０８）。
入力されていなければ（ステップＳ５０８，Ｎｏ）、ステップＳ５０６の処理に戻り、ステップＳ５０８の判定条件を満たすまで繰り返す。
入力されていれば（ステップＳ５０８，Ｙｅｓ）、閉塞信号送信部１６６は、変更元ＭＧＣ１３Ａの全回線に閉塞信号を送信する（ステップＳ５０９，図１１）。以降、ＭＧＣ１３Ａと新規に呼を接続することがなくなる。
【００５２】
そして、呼処理状態変更イベントが発生する（ステップＳ５１０）。
変更先ＭＧＣ１３Ｂと新規呼を接続するイベントが発生した場合（ステップＳ５１０，変更先ＭＧＣ新規呼接続）、変更先ＭＧＣ１３Ｂにて新規呼接続を行う（ステップＳ５１１）。
この処理により、空いている回線（管理テーブル２００の「呼処理状態」が“空き”）に新たに接続する呼があれば、回線状態監視部１６３は、変更先ＭＧＣ１３Ｂに、空いている回線との呼接続信号を送信する。このとき、管理テーブル２００には、該当する回線の「呼処理状態」が“接続”、「接続中ＭＧＣ」が“ＭＧＣ１３Ｂ”のデータが記憶される。
ステップＳ５１２の処理後、呼接続信号を受信した変更先ＭＧＣ１３Ｂは、呼を接続する。以上に示す呼接続維持処理により、システム運用時の切替作業中であっても変更元ＭＧＣ１３Ａの接続を維持することができる。
【００５３】
一方、変更元ＭＧＣ１３Ａと接続中の呼（呼接続）が切断するイベントが発生した場合（ステップＳ５１０，変更元ＭＧＣ接続呼切断）、変更元ＭＧＣ１３Ａの呼接続が終了時に、回線状態監視部１６３は管理テーブルの状態を更新し、閉塞信号送信部１６６は呼接続が終了した回線の閉塞解除信号を変更先ＭＧＣ１３Ｂに送信する（ステップＳ５１２）。
【００５４】
ここで、回線状態監視部１６３は、管理テーブル２００を参照して、変更元ＭＧＣ１３Ａと接続中の呼があるか否かを判定する（ステップＳ５１３）。ステップＳ５０６の処理と同じく、管理テーブル２００を参照して、「呼処理状態」が“接続”かつ「接続中ＭＧＣ」が“ＭＧＣ１３Ａ”であるか否かを判定すればよい。
【００５５】
変更元ＭＧＣ１３Ａと接続中の呼があれば（管理テーブル２００の「呼処理状態」が“接続”かつ「接続中ＭＧＣ」が“ＭＧＣ１３Ａ”）（ステップＳ５１３，Ｙｅｓ）、ステップＳ５１０の処理に戻る。
【００５６】
一方、変更元ＭＧＣ１３Ａで接続中の呼が全て切断され、ステップＳ５１３の処理にて、変更元ＭＧＣ１３Ａと接続中の呼がないと判定された場合（管理テーブル２００の「呼処理状態」が“空き”）（ステップＳ５１３，Ｎｏ）、保守管理者によりＯＰ１６０が操作され、呼制御信号振分処理部１６５は、管理テーブル２００の「待機中ＭＧＣ」のデータ（“ＭＧＣ１３Ａ”）を削除する（ステップＳ５１４）。
また、保守管理者がＯＰ１３０Ａを操作して、変更元ＭＧＣ１３Ａの中継回線データテーブル３００Ａ（３００Ｂ）に設定している中継交換機２０との接続回線のデータを削除し、前記した一連の切替作業を終了することは前記したとおりである。
【００５７】
前記したように本発明の実施の形態に係る回線振分装置によれば、変更元ＭＧＣ１３Ａおよび変更先ＭＧＣ１３Ｂと、ＳＧＷ１４およびＭＧＷ１５との間で伝送される制御信号を中継するとともに、制御信号を監視して変更元ＭＧＣ１３ＡとＰＳＴＮ交換網Ｎ２における各中継回線の回線保守状態を記憶し、変更先ＭＧＣ１３Ｂに対して引き継ぐことにより、変更元ＭＧＣ１３Ａに中継回線データの引継機能を持たせることなく、かつ、通話やデータ伝送を中断することなく変更元ＭＧＣ１３Ａを変更先ＭＧＣ１３Ｂに切替可能な、回線振分装置を提供することができる。
また、本発明の実施の形態に係る回線振分装置によれば、変更先ＭＧＣ１３Ｂで中継回線の初期設定を実施した場合、変更先ＭＧＣ１３Ｂから回線振分装置１６に閉塞解除信号が送信されるが、中継回線の制御は未だ変更元ＭＧＣ１３Ａが実施しているため、回線振分装置１６がその信号を破棄し、代わりに記憶している管理データに基づき変更先ＭＧＣ１３Ｂに代理応答することで、変更先ＭＧＣ１３Ｂで記憶している回線保守状態と、運用中の回線保守状態との整合性をとることができる。
【００５８】
本発明の実施の形態に係るメディアゲートウェイ制御装置切替システムによれば、変更元ＭＧＣ１３Ａおよび変更先ＭＧＣ１３Ｂと、ＳＧＷ１４およびＭＧＷ１５との間に回線振分装置１６を設置し、変更元ＭＧＣ１３Ａおよび変更先ＭＧＣ１３Ｂと、ＳＧＷ１４およびＭＧＷ１５との間で伝送される制御信号を回線振分装置１６が中継し、回線振分装置１６が、ＳＧＷ１４との間で伝送される制御信号を監視して中継回線の呼状態および保守運用状態を記憶して送信先を振り分け、記憶した中継回線の呼状態および保守運用状態を変更先ＭＧＣ１３Ｂに引き継ぐ構成とすることにより、変更元ＭＧＣ１３Ａに中継回線データの引継機能を持たせることなく、かつ、通話やデータ伝送を中断することなく変更先ＭＧＣ１３Ｂに切替えることができるメディアゲートウェイ制御装置切替システムを提供することができる。
【図面の簡単な説明】
【００５９】
【図１】本発明の実施の形態に係るメディアゲートウェイ制御装置切替システムの接続構成の一例を示す図である。
【図２】本発明の実施の形態に係るＭＧＣとＳＧＷとの間の回線振分装置の制御信号伝送シーケンスを示す図である。
【図３】本発明の実施の形態に係るＭＧＣとＭＧＷとの間の回線振分装置の制御信号伝送シーケンスを示す図である。
【図４】本発明の実施の形態に係るメディアゲートウェイ制御装置の切替方法を示すフローチャートである。
【図５】本発明の実施の形態に係る回線振分装置が有する管理テーブル、ならびに中継回線データテーブルのデータ構造の一例を示す図である（変更先ＭＧＣ１３Ｂを設置直後）。
【図６】本発明の実施の形態に係る回線振分装置が有する管理テーブル、ならびに中継回線データテーブルのデータ構造の一例を示す図である（変更先ＭＧＣ１３Ｂの通信設定中）。
【図７】本発明の実施の形態に係る回線振分装置が有する管理テーブル、ならびに中継回線データテーブルのデータ構造の一例を示す図である（変更先ＭＧＣ１３Ｂに切替中）。
【図８】本発明の実施の形態に係る回線振分装置が有する管理テーブル、ならびに中継回線データテーブルのデータ構造の一例を示す図である（変更先ＭＧＣ１３Ｂに切替完了）。
【図９】本発明の実施の形態に係る回線振分装置が実行するプログラムの構造を機能展開して示したブロック図である。
【図１０】本発明の実施の形態に係る回線振分装置の処理動作を示すフローチャートである。
【図１１】本発明の実施の形態に係る回線振分装置の処理動作を示すフローチャートである。
【図１２】従来のＩＰ電話システムの接続構成の一例を示す図である。
【符号の説明】
【００６０】
１０    メディアゲートウェイ制御装置切替システム
１１，２２  加入者端末
１２    コールエージェント（ＣＡ）
１３Ａ  変更元メディアゲートウェイ制御装置（変更元ＭＧＣ）
１３Ｂ  変更先メディアゲートウェイ制御装置（変更先ＭＧＣ）
１４    シグナリングゲートウェイ（ＳＧＷ）
１５    メディアゲートウェイ（ＭＧＷ）
１６    回線振分装置
２０    中継交換機
２１    加入者交換機
１２０，１３０Ａ，１３０Ｂ，１６０  オペレーション装置（ＯＰ）
１６１  信号応答送信部
１６２  ルーティング機能部
１６３  回線状態監視部
１６４  回線状態代理応答部
１６５  呼制御信号振分処理部
１６６  閉塞信号送信部
１６７  対応テーブル
２００  管理テーブル
３００Ａ  中継回線データテーブル（変更元ＭＧＣ１３Ａ）
３００Ｂ  中継回線データテーブル（変更先ＭＧＣ１３Ｂ）
Ｎ１    ＩＰ網
Ｎ２    ＰＳＴＮ交換網
【図１】
2010087794.tif 000003
【図２】
2010087794.tif 000004
【図３】
2010087794.tif 000005
【図４】
2010087794.tif 000006
【図５】
2010087794.tif 000007
【図６】
2010087794.tif 000008
【図７】
2010087794.tif 000009
【図８】
2010087794.tif 000010
【図９】
2010087794.tif 000011
【図１０】
2010087794.tif 000012
【図１１】
2010087794.tif 000013
【図１２】
2010087794.tif 000014